(57)【特許請求の範囲】
【請求項１】
移動用変圧器と、前記移動用変圧器に電力を供給する電力設備と、を接続する複数相分の第１及び第２の電力ケーブルの間を中継する電力ケーブル中継装置であって、
第１の方向を向いて立設する第１のフレームと、
前記第１のフレームと結合され、前記第１の方向とは異なる第２の方向を向いて立設する第２のフレームと、
前記第１及び第２のフレームの上部に取り付けられる、前記複数相夫々の前記第１及び第２の電力ケーブルを接続する複数の絶縁ブッシングを夫々保持する複数のブラケットと、
前記第１及び第２のフレームの上部より低く前記第１及び第２のフレームで囲まれる位置に取り付けられる、前記複数の絶縁ブッシングを前記複数のブラケットに夫々保持する作業を行うための作業床と、
を備えたことを特徴とする電力ケーブル中継装置。
【請求項２】
移動用変圧器と、前記移動用変圧器に電力を供給する電力設備と、を接続する複数相分の第１及び第２の電力ケーブルの間を中継する電力ケーブル中継装置であって、
第１の方向を向いて立設する第１のフレームと、
前記第１のフレームと結合され、前記第１の方向とは異なる第２の方向を向いて立設する第２のフレームと、
前記第２のフレームと結合され、前記第１のフレームと対向するように前記第１及び第２の方向とは異なる第３の方向を向いて立設する第３のフレームと、
前記第１乃至第３のフレームの上部に取り付けられる、前記複数相夫々の前記第１及び第２の電力ケーブルを接続する複数の絶縁ブッシングを夫々保持する複数のブラケットと、
前記第１乃至第３のフレームの上部より低く前記第１乃至第３のフレームで囲まれる位置に取り付けられる、前記複数の絶縁ブッシングを前記複数のブラケットに夫々保持する作業を行うための作業床と、
を備えたことを特徴とする電力ケーブル中継装置。
【請求項３】
移動用変圧器と、前記移動用変圧器に電力を供給する電力設備と、を接続する三相分の第１及び第２の電力ケーブルの間を中継する電力ケーブル中継装置であって、
第１の方向を向いて立設する第１のフレームと、
前記第１のフレームと結合され、前記第１の方向とは異なる第２の方向を向いて立設する第２のフレームと、
前記第２のフレームと結合され、前記第１のフレームと対向するように前記第１及び第２の方向とは異なる第３の方向を向いて立設する第３のフレームと、
前記第１乃至第３のフレームの上部に夫々取り付けられる、前記三相夫々の前記第１及び第２の電力ケーブルを接続する３個の絶縁ブッシングを夫々保持する３個のブラケットと、
前記第１乃至第３のフレームの上部より低く前記第１乃至第３のフレームで囲まれる位置に取り付けられる、前記３個の絶縁ブッシングを前記３個のブラケットに夫々保持する作業を行うための作業床と、
を備えたことを特徴とする電力ケーブル中継装置。
【請求項４】
前記第１及び第２のフレームを結合部分を中心に回動させる第１の回動機構と、
前記第２及び第３のフレームを結合部分を中心に回動させる第２の回動機構と、
を備えたことを特徴とする請求項３に記載の電力ケーブル中継装置。
【請求項５】
前記第１乃至第３のフレームの高さを調整する調整機構、
を備えたことを特徴とする請求項３に記載の電力ケーブル中継装置。
【発明の詳細な説明】
【技術分野】
【０００１】
本発明は、電力ケーブル中継装置に関する。
【背景技術】
【０００２】
変電所における電力機器の修理又は点検のために、両端に絶縁ブッシングが取り付けられた移動用電力ケーブルを用いて電力をバイパス供給する場合がある。例えば、電力機器として変圧器（以下、点検変圧器という）を点検する場合、遮断器を介して送電線から点検変圧器に供給される電力を点検変圧器とは別の移動用変圧器に移動用電力ケーブルを用いてバイパスする。その後、点検変圧器に対する電力の供給を停止する。移動用電力ケーブルの一端に取り付けられた絶縁ブッシング（以下、一端の絶縁ブッシングという）は遮断器に接続され、移動用電力ケーブルの他端に取り付けられた絶縁ブッシング（以下、他端の絶縁ブッシングという）は移動用変圧器に接続される。
【０００３】
ここで、一端及び他端の絶縁ブッシングは、地絡しないような例えば２メートルの対地間距離となるように移動用電力ケーブル取付装置に取り付けられており、例えば特許文献１に開示される移動用電力ケーブル取付装置が知られている。  
特許文献１の取付装置は、一端又は他端の絶縁ブッシングを保持するブラケットと台とを含んで構成される。  
ブラケットは、ブラケットに保持された一端又は他端の絶縁ブッシングが地絡しないような、例えば２メートルの対地間距離となるように台の上部に取り付けられている。  
従って、移動用電力ケーブルの一端又は他端の絶縁ブッシングを取付装置に取り付けることにより、地絡防止が図られていた。
【先行技術文献】
【特許文献】
【０００４】
【特許文献１】特開２００７−１０４８８２号公報
【発明の概要】
【発明が解決しようとする課題】
【０００５】
特許文献１に開示される取付装置では、作業員が一端又は他端の絶縁ブッシングをブラケットに保持させる作業を行う際に、当該作業を行うための作業用脚立を取付装置の近傍に別途設ける必要があった。  
しかし、取付装置の近傍に作業用脚立の設置スペースを確保するのが困難である場合があった。例えば、屋内変電所では電力機器が隣接して配置されているため、作業用脚立の設置スペースを確保するのが極めて困難であった。
【課題を解決するための手段】
【０００６】
前述した課題を解決する主たる本発明は、移動用変圧器と、前記移動用変圧器に電力を供給する電力設備と、を接続する複数相分の第１及び第２の電力ケーブルの間を中継する電力ケーブル中継装置であって、第１の方向を向いて立設する第１のフレームと、前記第１のフレームと結合され、前記第１の方向とは異なる第２の方向を向いて立設する第２のフレームと、前記第１及び第２のフレームの上部に取り付けられる、前記複数相夫々の前記第１及び第２の電力ケーブルを接続する複数の絶縁ブッシングを夫々保持する複数のブラケットと、前記第１及び第２のフレームの上部より低く前記第１及び第２のフレームで囲まれる位置に取り付けられる、前記複数の絶縁ブッシングを前記複数のブラケットに夫々保持する作業を行うための作業床と、を備えたことを特徴とする電力ケーブル中継装置である。
【０００７】
本発明の他の特徴については、添付図面及び本明細書の記載により明らかとなる。
【発明の効果】
【０００８】
本発明によれば、作業用脚立を用いることなく一端又は他端の絶縁ブッシングをブラケットに保持させる作業を行うことができる。
【図面の簡単な説明】
【０００９】
【図１】本発明の第１実施形態に係る中継装置を示す斜視図である。
【図２】電力ケーブルを介して遮断器に接続された移動用変圧器の一例を示す図である。
【図３】本発明の第２実施形態に係る中継装置を示す斜視図である。
【図４】本発明の第３実施形態に係る中継装置を示す斜視図である。
【図５】本発明の第４実施形態に係る中継装置を示す斜視図である。
【発明を実施するための形態】
【００１０】
本明細書および添付図面の記載により、少なくとも以下の事項が明らかとなる。
【００１１】
[第１実施形態]
＝＝＝移動用変圧器＝＝＝
以下、図２を参照して、本実施形態に用いられる電力ケーブルが接続される移動用変圧器の一例について説明する。
【００１２】
図２は、電力ケーブルを介して遮断器に接続された移動用変圧器を示す図である。  
変電所９に設置された変圧器（不図示）の点検を行う場合、点検される変圧器に換えて移動用変圧器６が用いられる。つまり、送電線（不図示）から供給される電力は、移動用変圧器６を介して配電線（不図示）へ送られる。
【００１３】
移動用変圧器６は、本体６０、３本の絶縁ブッシング６１乃至６３及び台６４を備えて構成される。尚、絶縁ブッシング６３は図示されていないが、手前側（−Ｚ側）からは見えない状態となっている。
【００１４】
本体６０は、本体６０の内部に変圧用の巻線（不図示）を備える。  
台６４は、本体６０を載置する台である。本体６０は、台６４の上側に載置されている。
【００１５】
絶縁ブッシング６１乃至６３は、同様な略円柱形状である。絶縁ブッシング６１乃至６３は、絶縁ブッシング６１乃至６３の一端が一方方向（＋Ｘ方向）の上側（＋Ｙ側）へ突出するように、本体６０に取り付けられる。絶縁ブッシング６１乃至６３の他端は、本体６０の上側におけるＸ軸方向の略中央よりも一方側に取り付けられる。絶縁ブッシング６１、６３の一端は夫々、Ｙ軸方向の同じ高さとなるように突出する。絶縁ブッシング６２の一端は、絶縁ブッシング６１、６３よりも高くなるように突出する。
【００１６】
絶縁ブッシング６１乃至６３の一端に供給された３相分の電力は夫々、本体６０内部の巻線を介して例えば降圧されて、本体６０の他方に接続された電線Ｌ１ａ、Ｌ２ａ、Ｌ３ａに送られる。
【００１７】
＝＝＝遮断器、電力機器＝＝＝
以下、図２を参照して、本実施形態に用いられる電力ケーブルが接続される遮断器の一例について説明する。
【００１８】
遮断器５は、例えば遮断器５を介して送電線から電力を供給される配電線で地絡事故が生じた場合、地絡を検出する継電器（不図示）からの開命令に従って遮断器５が接続された場所を遮断する。  
遮断器５は、本体５０及び３本の絶縁ブッシング５１乃至５３を備えて構成される。尚、絶縁ブッシング５３は図示されていないが、手前側（−Ｚ側）からは見えない状態となっている。  
本体５０は、本体５０の内部に継電器からの命令に従って開となるような接点（不図示）を備える。
【００１９】
絶縁ブッシング５１乃至５３は、同様な略円柱形状である。絶縁ブッシング５１乃至５３は、絶縁ブッシング５１乃至５３の一端が他方方向（−Ｘ方向）の上側（＋Ｙ側）へ突出するように、本体５０に取り付けられる。絶縁ブッシング５１乃至５３の他端は、本体５０の上側におけるＸ軸方向の略中央よりも他方側に取り付けられる。絶縁ブッシング５１、５３の一端は夫々、Ｙ軸方向の同じ高さとなるように突出する。絶縁ブッシング５２の一端は、絶縁ブッシング５１、５３よりも高くなるように突出する。
【００２０】
遮断器５は、電線Ｌ１、Ｌ２、Ｌ３によって送電線に接続されている。  
本体５０の一方に接続された電線Ｌ１、Ｌ２、Ｌ３を介して送電線から遮断器５に供給された３相分の電力は夫々、本体５０内部の閉とされている接点を介してブッシング５１乃至５３の一端に送られる。
【００２１】
また、電力機器７は、例えば変電所９内に配置されている二次側の遮断器である。  
電力機器７は、電線Ｌ１ａ、Ｌ２ａ、Ｌ３ａによって移動用変圧器６に接続されている。電力機器７は、電線Ｌ１ｂ、Ｌ２ｂ、Ｌ３ｂによって配電線に接続されている。  
電線Ｌ１ａ、Ｌ２ａ、Ｌ３ａを介して送電線から電力機器７へ供給された３相分の電力は夫々、電線Ｌ１ｂ、Ｌ２ｂ、Ｌ３ｂを介して配電線に送られる。
【００２２】
＝＝＝中継装置＝＝＝
以下、図２を参照して、本実施形態に係る中継装置の一例について説明する。  
中継装置８、８ａは、変電所９内にＸ軸方向に隣接するように配置されている。  
中継装置８は、絶縁ブッシング１５、１５ａ、２５、２５ａ、３５、３５ａが地絡しないような例えば２メートルの対地間距離となるように、絶縁ブッシング１５、１５ａ、２５、２５ａ、３５、３５ａを保持する装置である。尚、絶縁ブッシング３５、３５ａは図示されていないが、手前側（−Ｚ側）からは見えない状態となっている。また、中継装置８の詳細については後述する。
【００２３】
中継装置８ａは、Ｘ軸方向での中継装置８と中継装置８ａの間の略中央を通るＹＺ平面を基準に中継装置８を面対称に配置したものである。中継装置８ａは中継装置８と同様な構成であるので、中継装置８ａの説明は省略する。
【００２４】
絶縁ブッシング１５（２５、３５）は、絶縁ブッシング１５（２５、３５）の一端が上側を向くように、中継装置８の上部に取り付けられる。尚、当該取り付けの詳細については後述する。当該取付けと同様に、絶縁ブッシング１５ａ（２５ａ、３５ａ）は、絶縁ブッシング１５ａ（２５ａ、３５ａ）の一端が上側を向くように、中継装置８ａの上部に取り付けられる。
【００２５】
電力ケーブルＣ１、Ｃ２、Ｃ３、Ｃ１ａ、Ｃ２ａ、Ｃ３ａ、１６、２６、３６は、遮断器５と移動用変圧器６との間で、遮断器５を介して送電線から移動用変圧器６に供給される電力を中継する。尚、電力ケーブルＣ３、Ｃ３ａ、３６は図示されていないが、手前側からは見えない状態となっている。
【００２６】
電力ケーブルＣ１（Ｃ２、Ｃ３）の一端は、絶縁ブッシング１５ａ（２５ａ、３５ａ）の一端に接続され、電力ケーブルＣ１（Ｃ２、Ｃ３）の他端は、絶縁ブッシング５１（５２、５３）の一端に接続される。電力ケーブル１６（２６、３６）の一端は絶縁ブッシング１５（２５、３５）の他端に接続され、電力ケーブル１６（２６、３６）の他端は絶縁ブッシング１５ａ（２５ａ、３５ａ）の他端に接続される。電力ケーブルＣ１ａ（Ｃ２ａ、Ｃ３ａ）の一端は、絶縁ブッシング６１（６２、６３）の一端に接続され、電力ケーブルＣ１ａ（Ｃ２ａ、Ｃ３ａ）の他端は、絶縁ブッシング１５（２５、３５）の一端に接続される。
【００２７】
電線Ｌ１、Ｌ２、Ｌ３を介して送電線から遮断器５へ供給される３相分の電力は夫々、電力ケーブルＣ１、Ｃ２、Ｃ３、電力ケーブル１６、２６、３６及び電力ケーブルＣ１ａ、Ｃ２ａ、Ｃ３ａを介して移動用変圧器６に送られる。送電線から移動用変圧器６へ送られた３相分の電力は夫々、本体６０の内部の巻線を介して例えば降圧されて、電線Ｌ１ａ、Ｌ２ａ、Ｌ３ａを介して電力機器７に送られる。送電線から移動用変圧器６を介して電力機器７へ送られた３相分の電力は夫々、電線Ｌ１ｂ、Ｌ２ｂ、Ｌ３ｂを介して配電線に送られる。
【００２８】
ここで、変電所９に配置された点検される変圧器は、既設変圧器用遮断器（不図示）を介して既設電力ケーブル（不図示）によって、絶縁ブッシング５１乃至５３に接続されている。
【００２９】
送電線から供給される電力が移動用変圧器６を介して配電線に送られる場合、既設変圧器用遮断器は開とされている。よって、送電線から供給される電力は、点検される変圧器には供給されない。
【００３０】
＝＝＝中継装置の詳細＝＝＝
図１は、本実施形態に係る中継装置を示す斜視図である。  
中継装置８は、フレーム１、２、３、ブラケット１３、２３、３３及び作業床４を備えて構成される。  
フレーム１、２、３は、略矩形形状を呈した金属製のフレームである。
【００３１】
フレーム１は、高さ方向（Ｙ軸方向）に沿って伸びる金属製の縁部材Ｅ１１、Ｅ１２及び横方向（Ｘ軸方向）に沿って伸びる金属製の縁部材Ｅ１３、Ｅ１４を備えて構成される。  
縁部材Ｅ１１、Ｅ１２の高さ方向の長さは例えば２メートル程度であり、縁部材Ｅ１３、Ｅ１４の横方向の長さは例えば１．５メートル程度である。  
縁部材Ｅ１３の一方側の端部は、縁部材Ｅ１２の上側の端部と例えば溶接される。縁部材Ｅ１４の一方側の端部は、縁部材Ｅ１２の下側（−Ｙ側）の端部と例えば溶接される。縁部材Ｅ１３の他方側の端部は、縁部材Ｅ１１の上側の端部と例えば溶接される。縁部材Ｅ１４の他方側の端部は、縁部材Ｅ１１の下側の端部と例えば溶接される。
【００３２】
フレーム２は、高さ方向に沿って伸びる金属製の縁部材Ｅ２１、Ｅ２２、奥行き方向（Ｚ軸方向）に沿って伸びる金属製の縁部材Ｅ２３、Ｅ２４を備えて構成される。  
縁部材Ｅ２１、Ｅ２２の高さ方向の長さは例えば２メートル程度であり、縁部材Ｅ２３、Ｅ２４の奥行き方向の長さは例えば１．５メートル程度である。  
縁部材Ｅ２３の奥側（＋Ｚ側）の端部は、縁部材Ｅ２２の上側の端部と例えば溶接される。縁部材Ｅ２４の奥側の端部は、縁部材Ｅ２２の下側の端部と例えば溶接される。縁部材Ｅ２３の手前側の端部は、縁部材Ｅ２１の上側の端部と例えば溶接される。縁部材Ｅ２４の手前側の端部は、縁部材Ｅ２１の下側の端部と例えば溶接される。
【００３３】
フレーム３は、高さ方向に沿って伸びる金属製の縁部材Ｅ３１、Ｅ３２、横方向に沿って伸びる金属製の縁部材Ｅ３３、Ｅ３４を備えて構成される。尚、縁部材Ｅ３２は図示されていないが、手前側からは見えない状態となっている。  
縁部材Ｅ３１、Ｅ３２の高さ方向の長さは例えば２メートル程度であり、縁部材Ｅ３３、Ｅ３４の横方向の長さは例えば１．５メートル程度である。  
縁部材Ｅ３３の一方側の端部は、縁部材Ｅ３２の上側の端部と例えば溶接される。縁部材Ｅ３４の一方側の端部は、縁部材Ｅ３２の下側の端部と例えば溶接される。縁部材Ｅ３３の他方側の端部は、縁部材Ｅ３１の上側の端部と例えば溶接される。縁部材Ｅ３４の他方側の端部は、縁部材Ｅ３１の下側の端部と例えば溶接される。
【００３４】
フレーム１は、縁部材Ｅ１１、Ｅ１２が高さ方向と平行となり、縁部材Ｅ１３、Ｅ１４が横方向と平行となるように、フレーム１の外側の面を手前側（第１の方向）へ向けられて立設されている。フレーム３は、フレーム１の奥側でフレーム１と対向し、縁部材Ｅ３１、Ｅ３２が高さ方向と平行となり、縁部材Ｅ３３、Ｅ３４が横方向と平行となるように、フレーム３の外側の面を奥側（第３の方向）へ向けられて立設される。フレーム２は、上側から下側に向かって見てフレーム１、３と一体となって略コ字状になり、縁部材Ｅ２１、Ｅ２２が高さ方向と平行となり、縁部材Ｅ２３、Ｅ２４が奥行き方向と平行となるように、フレーム２の外側の面を一方側（第２の方向）へ向けられて立設される。
【００３５】
フレーム１、２、３は、上側から下側に向かって見て略コ字状の一体のフレームを形成するように、縁部材Ｅ１２と縁部材Ｅ２１は例えば溶接され、縁部材Ｅ２２と縁部材Ｅ３２は例えば溶接される。
【００３６】
縁部材Ｅ１３（Ｅ２３、Ｅ３３）の高さ方向の幅は、ブラケット保持具１２（２２、３２）を縁部材Ｅ１３（Ｅ２３、Ｅ３３）に固定するためのボルトＢ１６、Ｂ１７（Ｂ２６、Ｂ２７、Ｂ３６、Ｂ３７）が取り付けられる長孔１１（２１、３１）を設けることができるような幅となっている。尚、ボルトＢ１６、Ｂ１７、Ｂ２６、Ｂ２７は図示されていないが、手前側からは見えない状態となっている。
【００３７】
長孔１１（２１、３１）は、長孔１１（２１、３１）の長手方向が横方向（奥行き方向、横方向）と平行になり、縁部材Ｅ１３（Ｅ２３、Ｅ３３）の手前と奥（一方と他方、手前と奥）の間を貫通して開口される。
【００３８】
縁部材Ｅ１１、Ｅ１２、Ｅ３１、Ｅ３２には夫々、作業床４を載置する作業床受け１０ａ、１０ｂ、３０ａ（不図示）、３０ｂ（不図示）が取り付けられる。
【００３９】
作業床受け１０ａ（１０ｂ）は、縁部材Ｅ１１（Ｅ１２）の一方側（他方側）に取り付けられた状態で、横方向に沿って一方側（他方側）に例えば１０センチメートル程度突出するような金属製の部材である。作業床受け３０ａ（３０ｂ）は、作業床受け１０ａ（１０ｂ）と同様な形状を呈する金属製の部材である。
【００４０】
作業床受け１０ａ（１０ｂ）は、作業床受け１０ａ（１０ｂ）の一端が縁部材Ｅ１１（Ｅ１２）から横方向に沿って一方側（他方側）へ突出するように、作業床受け１０ａ（１０ｂ）の他端は縁部材Ｅ１１（Ｅ１２）の一方側（他方側）に取り付けられる。尚、作業床受け１０ａの他端は、縁部材Ｅ１１の一方側における例えば１メートル程度の高さの位置に溶接される。又、作業床受け１０ｂの他端は、縁部材Ｅ１２の他方側における、作業床受け１０ａが取り付けられる高さと同じ高さの位置に溶接される。
【００４１】
作業床受け３０ａ（３０ｂ）は、作業床受け１０ａ（１０ｂ）が縁部材Ｅ１１（Ｅ１２）に取り付けられるのと同様に、縁部材Ｅ３１（Ｅ３２）に取り付けられる。尚、作業床受け３０ａ、３０ｂが取り付けられる高さは、作業床受け１０ａが取り付けられる高さと同じである。
【００４２】
作業床４は、フレーム１、２、３が一体となって形成したコ字状のフレームの内側にＸＺ平面と平行となるように配置される矩形状の例えば金属板である。  
作業床４は、作業床受け１０ａ、１０ｂ、３０ａ、３０ｂの上に載置される。  
そして、フレーム１は、フレーム接地用の銅線（不図示）を介して変電所９の接地板（不図示）に接地される。尚、フレーム接地用の銅線の一端は、例えば縁部材Ｅ１１の一方側の高さ１０センチメートル程度の位置に接続される。
【００４３】
ここで、絶縁ブッシング１５は、略円柱形状であり、一端から一端と他端の略中央へ移行するに従って拡径し、一端と他端の略中央から他端へ移行するに従って縮径して形成される。尚、絶縁ブッシング２５、３５は絶縁ブッシング１５と同様な形状である。
【００４４】
前述したように、絶縁ブッシング１５（２５、３５）の他端には、電力ケーブル１６（２６、３６）の一端が接続されている。
【００４５】
ブラケット１３は、絶縁ブッシング１５の一端と他端の略中央と他端の間を保持するように、絶縁ブッシング１５の一端と他端の略中央と他端の間に沿うような内周面を有する筒形状である。尚、ブラケット１３は、筒の中心軸を通りかつ筒の中心軸と平行な平面で半割された２つの部材１３１、１３２を結合して形成される。
【００４６】
部材１３１、１３２の一方の結合部分は、例えばボルト（不図示）とナット（不図示）によりに結合される。  部材１３１、１３２の一方の結合部分とは反対側の他方の結合部分は、例えばボルト（不図示）とナット（不図示）によりに結合される。ブラケット２３、３３はブラケット１３と同様に構成されるので、その説明は省略する。
【００４７】
ブラケット１３（２３、３３）は、ブラケット保持具１２（２２、３２）に固定された状態でフレーム１（２、３）の上部に取り付けられる。
【００４８】
ブラケット保持具１２は、ブラケット保持具１２の一方の面にブラケット１３の外周面が嵌まるような形状を呈し、ブラケット保持具１２の一方の面と反対側の他方の面には、ボルトＢ１６、Ｂ１７が取り付けられるようなめねじ（不図示）が形成されている。尚、めねじは、例えばブラケット保持具１２に嵌められたブラケット１３の中心軸と直行する方向に２つ形成されている。ブラケット保持具２２、３２もブラケット保持具１２と同様に構成されるので、その説明は省略する。
【００４９】
ブラケット１３は、ブラケット１３の例えば部材１３１側の外周面がブラケット保持具１２の一方の面に嵌められた状態で、例えば接着剤でブラケット保持具１２に固定される。ブラケット１３と同様に、ブラケット２３、３３もブラケット保持具２２、３２に固定される。
【００５０】
ブラケット保持具１２（２２、３２）は、ブラケット保持具１２（２２、３２）に取り付けられたブラケット１３（２３、３３）の中心軸が高さ方向と平行となるように、縁部材Ｅ１３（Ｅ２３、Ｅ３３）の例えば手前側（一方側、奥側）にボルトＢ１６、Ｂ１７（Ｂ２６、Ｂ２７、Ｂ３６、Ｂ３７）によって取り付けられる。
【００５１】
絶縁ブッシング１５（２５、３５）は、絶縁ブッシング１５（２５、３５）の一端が上側に突出するように、絶縁ブッシング１５（２５、３５）の他端がブラケット１３（２３、３３）に保持される。  
ここで、絶縁ブッシング１５、２５、３５は夫々、お互いに短絡しないような相間距離を保つ必要がある。
【００５２】
よって、例えば、ブラケット保持具１２（２２、３２）は、ブラケット１３（２３、３３）が縁部材Ｅ１３（Ｅ２３、Ｅ３３）の略中央に固定されるように、ボルトＢ１６、Ｂ１７（Ｂ２６、Ｂ２７、Ｂ３６、Ｂ３７）によって縁部材Ｅ１３（Ｅ２３、Ｅ３３）に取り付けられる。従って、絶縁ブッシング１５、２５、３５は夫々、お互いに短絡しないような例えば０．８メート以上の相間距離を保った状態でフレーム１、２、３に取り付けられる。
【００５３】
[第２実施形態]
＝＝＝中継装置の詳細＝＝＝
図３は、本実施形態に係る中継装置を示す斜視図である。尚、図１に示された構成と同じ構成については同じ番号を付すのみで、その説明は省略する。
【００５４】
中継装置８１は、フレーム１、２、３、ブラケット１３、２３、３３及び作業床４を備えて構成される。  
フレーム１、２は、フレーム１、２の結合部分を中心に回動するように、例えば蝶番Ｔ１、Ｔ２により結合される。フレーム２、３は、フレーム２、３の結合部分を中心に回動するように、例えば蝶番Ｔ３、Ｔ４により結合される。尚、蝶番Ｔ４は図示されていないが、手前側（−Ｚ側）からは見えない状態となっている。
【００５５】
縁部材Ｅ１２と縁部材Ｅ２１は夫々、縁部材Ｅ１２と縁部材Ｅ２１の上側（下側）の端部同士を蝶番Ｔ１（Ｔ２）により、フレーム１、２が蝶番Ｔ１、Ｔ２を中心に回動するように結合される。縁部材Ｅ２２と縁部材Ｅ３２は夫々、縁部材Ｅ２２と縁部材Ｅ３２の上側（下側）の端部同士を蝶番Ｔ３（Ｔ４）により、フレーム２、３が蝶番Ｔ３、Ｔ４を中心に回動するように結合される。尚、＋Ｙ側を上側、−Ｙ側を下側という。
【００５６】
フレーム１、２には、フレーム１、２の内側の面によって作られる角度が略９０°を超えないように、ストッパＳ１、Ｓ２が取り付けられる。
【００５７】
ストッパＳ１（Ｓ２）は、フレーム１側に取り付けられるストッパＳ１ａ（Ｓ２ａ）、フレーム２側に取り付けられるストッパＳ１ｂ（Ｓ２ｂ）からなる。尚、ストッパＳ１ａ（Ｓ２ａ）、Ｓ１ｂ（Ｓ２ｂ）は例えば金属製のストッパである。
【００５８】
ストッパＳ１ａ（Ｓ２ａ）は、縁部材Ｅ１２の蝶番Ｔ１（Ｔ２）が取り付けられている位置の下側（上側）に隣接するように、縁部材Ｅ１２の一方側（＋Ｘ側）に例えば溶接される。
【００５９】
ストッパＳ１ｂ（Ｓ２ｂ）は、フレーム１、２の内側の面によって作られる角度が略９０°となるようにフレーム１、２が蝶番Ｔ１、Ｔ２を中心に回動した場合、ストッパＳ１ａ（Ｓ２ａ）と接触するように、縁部材Ｅ２１の手前側に例えば溶接される。
【００６０】
ストッパＳ１ａ（Ｓ２ａ）、Ｓ１ｂ（Ｓ２ｂ）は、フレーム１、２の内側の面によって作られる角度が略９０°となった場合、お互いに接触する。よって、フレーム１、２は、フレーム１、２の内側の面によって作られる角度が略９０°を超えないように、蝶番Ｔ１、Ｔ２を中心に回動される。
【００６１】
フレーム２の縁部材Ｅ２２及びフレーム３の縁部材Ｅ３２にも、フレーム２、３の内側の面によって作られる角度が略９０°を超えないように、ストッパＳ１、Ｓ２と同様なストッパが取り付けられる。
【００６２】
例えば作業床４をフレーム１、２、３へ取り付ける場合、フレーム１、２、３は、上側から下側に向かって見てフレーム１、２、３が略コ字状となるように、蝶番Ｔ１、Ｔ２、Ｔ３、Ｔ４を中心に回動される。そして、作業床４は作業床受け１０ａ、１０ｂ、３０ａ、３０ｂに載置される。
【００６３】
例えば中継装置８１を収納する場合、フレーム１、３の横方向（Ｘ軸方向）の長さを例えば０．７５メートル程度とし、フレーム２の奥行き方向（Ｚ軸方向）の長さをフレーム１、３の横方向の長さの合計の長さ以上の例えば１．５メートル程度とすることにより、中継装置８１はコンパクトに収納される。つまり、フレーム１は、フレーム２に接触するように蝶番Ｔ１、Ｔ２を中心に奥側（＋Ｚ側）に回動され、フレーム３は、フレーム２に接触するように蝶番Ｔ３、Ｔ４を中心に手前側に回動される。又、ブラケット１３、２３、３３は夫々、フレーム１、２、３の上部に取り付けられる。ブラケット１３は長孔１１に沿って例えば縁部材Ｅ１３の他方側（−Ｘ側）に取り付けられる。ブラケット２３は長孔２１に沿って例えば縁部材Ｅ２３の奥行き方向の略中央に取り付けられる。ブラケット３３は長孔３１に沿って例えば縁部材Ｅ３３の他方側に取り付けられる。よって、上側から下側に向かって見てフレーム１、２、３が略コ字状となるような状態で、ブラケット１３、２３、３３の夫々の間の距離は、フレーム１、３の横方向の長さが１．５メートル程度の場合と同様となる。つまり、フレーム１、２、３の上部の長孔１１、２１、３１に沿ってブラケット１３、２３、３３の取り付け位置を調整することにより、フレーム１、３の横方向の長さが１．５メートルの場合に確保されるブラケット１３、２３、３３の間の距離と同等の距離を確保することが可能となる。
【００６４】
[第３実施形態]
＝＝＝中継装置の詳細＝＝＝
図４は、本実施形態に係る中継装置を示す斜視図である。尚、図１に示された構成と同じ構成については同じ番号を付すのみで、その説明は省略する。
【００６５】
中継装置８２は、フレーム１ａ、２ａ、３ａ、ブラケット１３、２３、３３及び作業床４を備えて構成される。  
フレーム１ａ、２ａ、３ａは、略矩形形状を呈した金属製のフレームである。  
フレーム１ａは、フレーム１ａの外側の面を手前側（−Ｚ側）へ向けられて立設されている。フレーム３ａは、フレーム１aの奥側（＋Ｚ側）でフレーム１ａと対向するように、フレーム３ａの外側の面を奥側へ向けられて立設される。フレーム２ａは、上側から下側に向かって見てフレーム１ａ、３ａと一体となって略コ字状になるように、フレーム２ａの外側の面を一方側（＋Ｘ側）へ向けられて立設される。
【００６６】
フレーム１ａは、高さ方向（Ｙ軸方向）に沿って伸びる金属製の縁部材Ｅ１１ａ、Ｅ１１ｂ、Ｅ１２ａ、Ｅ１２ｂ及び横方向（Ｘ軸方向）に沿って伸びる金属製の縁部材Ｅ１３ａ、Ｅ１４ａを備えて構成される。
【００６７】
縁部材Ｅ１１ａ、Ｅ１１ｂ、Ｅ１２ａ、Ｅ１２ｂの高さ方向の長さは例えば１．３メートル程度であり、縁部材Ｅ１３ａ、Ｅ１４ａの横方向の長さは例えば１．５メートル程度である。
【００６８】
縁部材Ｅ１１ｂは、縁部材Ｅ１１ｂの上側（＋Ｙ側）から縁部材Ｅ１１ａが挿入されるような中空の部材である。縁部材Ｅ１１ｂの上側の端部には、挿入された縁部材Ｅ１１ａを縁部材Ｅ１１ｂに固定するための例えばボルト（不図示）を挿入する孔（不図示）が横方向に貫通している。
【００６９】
縁部材Ｅ１１ａは、縁部材Ｅ１１ｂに挿入した状態で、縁部材Ｅ１１ｂの孔に挿入されたボルトにより縁部材Ｅ１１ｂに固定されるような孔Ｈ１が横方向に貫通している。尚、孔Ｈ１は、縁部材Ｅ１１ｂに固定された縁部材Ｅ１１ａの上側の端部の高さが所定の高さとなるように例えば複数設けられる。
【００７０】
縁部材Ｅ１１ａは、縁部材Ｅ１１ｂの上側から下側（−Ｙ側）へ向かって挿入され、縁部材Ｅ１１ａ、Ｅ１１ｂに設けられた孔を貫通するようなボルトとナットＮ１により縁部材Ｅ１１ｂに固定される。尚、縁部材Ｅ１１ａは、縁部材Ｅ１１ａの上側の端部の高さが例えば２メートル程度となるように縁部材Ｅ１１ｂに固定される。
【００７１】
縁部材Ｅ１２ｂは、縁部材Ｅ１２ｂの上側から縁部材Ｅ１２ａが挿入されるような中空の部材である。縁部材Ｅ１２ｂの上側の端部には、挿入された縁部材Ｅ１２ａを縁部材Ｅ１２ｂに固定するための例えばボルトＢ２を挿入する孔（不図示）が横方向に貫通している。
【００７２】
縁部材Ｅ１２ａは、縁部材Ｅ１２ｂに挿入した状態で、縁部材Ｅ１２ｂの孔に挿入されたボルトＢ２により縁部材Ｅ１２ｂに固定されるような孔Ｈ２が横方向に貫通している。尚、孔Ｈ２は、縁部材Ｅ１２ｂに固定された縁部材Ｅ１２ａの上側の端部の高さが所定の高さとなるように例えば複数設けられる。
【００７３】
縁部材Ｅ１２ａは、縁部材Ｅ１２ｂの上側から下側へ向かって挿入され、縁部材Ｅ１２ａ、Ｅ１２ｂに設けられた孔を貫通するようなボルトＢ２とナット（不図示）により縁部材Ｅ１２ｂに固定される。尚、縁部材Ｅ１２ａは、縁部材Ｅ１２ａの上側の端部の高さが例えば２メートル程度となるように縁部材Ｅ１２ｂに固定される。
【００７４】
縁部材Ｅ１３ａの一方側の端部は、縁部材Ｅ１２ａの上側の端部と例えば溶接される。縁部材Ｅ１３ａの他方側（−Ｘ側）の端部は、縁部材Ｅ１１ａの上側の端部と例えば溶接される。縁部材Ｅ１４ａの一方側の端部は、縁部材Ｅ１２ｂの下側の端部と例えば溶接される。縁部材Ｅ１４ａの他方側の端部は、縁部材Ｅ１１ｂの下側の端部と例えば溶接される。
【００７５】
フレーム２ａは、高さ方向に沿って伸びる金属製の縁部材Ｅ１２ａ、Ｅ１２ｂ、Ｅ２２ａ、Ｅ２２ｂ及び奥行き方向（Ｚ軸方向）に沿って伸びる金属製の縁部材Ｅ２３ａ、Ｅ２４ａを備えて構成される。
【００７６】
縁部材Ｅ２２ａ、Ｅ２２ｂの高さ方向の長さは例えば１．３メートル程度であり、縁部材Ｅ２３ａ、Ｅ２４ａの奥行き方向の長さは例えば１．５メートル程度である。
【００７７】
縁部材Ｅ２２ｂは、縁部材Ｅ２２ｂの上側から縁部材Ｅ２２ａが挿入されるような中空の部材である。縁部材Ｅ２２ｂの上側の端部には、挿入された縁部材Ｅ２２ａを縁部材Ｅ２２ｂに固定するための例えばボルトＢ３を挿入する孔（不図示）が横方向に貫通している。
【００７８】
縁部材Ｅ２２ａは、縁部材Ｅ２２ｂに挿入した状態で、縁部材Ｅ２２ｂの孔に挿入されたボルトＢ３により縁部材Ｅ２２ｂに固定されるような孔Ｈ３が横方向に貫通している。尚、孔Ｈ３は、縁部材Ｅ２２ｂに固定された縁部材Ｅ２２ａの上側の端部の高さが所定の高さとなるように例えば複数設けられる。
【００７９】
縁部材Ｅ２２ａは、縁部材Ｅ２２ｂの上側から下側へ向かって挿入され、縁部材Ｅ２２ａ、Ｅ２２ｂに設けられた孔を貫通するようなボルトＢ３とナット（不図示）により縁部材Ｅ２２ｂに固定される。尚、縁部材Ｅ２２ａは、縁部材Ｅ２２ａの上側の端部の高さが例えば２メートル程度となるように縁部材Ｅ２２ｂに固定される。
【００８０】
縁部材Ｅ２３ａの奥側の端部は、縁部材Ｅ２２ａの上側の端部と例えば溶接される。縁部材Ｅ２３ａの手前側の端部は、縁部材Ｅ１２ａの上側の端部と例えば溶接される。縁部材Ｅ２４ａの奥側の端部は、縁部材Ｅ２２ｂの下側の端部と例えば溶接される。縁部材Ｅ２４ａの手前側の端部は、縁部材Ｅ１２ｂの下側の端部と例えば溶接される。
【００８１】
フレーム３ａは、高さ方向に沿って伸びる金属製の縁部材Ｅ２２ａ、Ｅ２２ｂ、Ｅ３１ａ、Ｅ３１ｂ及び横方向に沿って伸びる金属製の縁部材Ｅ３３ａ、Ｅ３４ａを備えて構成される。
【００８２】
縁部材Ｅ３１ａ、Ｅ３１ｂの高さ方向の長さは例えば１．３メートル程度であり、縁部材Ｅ３３ａ、Ｅ３４ａの横方向の長さは例えば１．５メートル程度である。
【００８３】
縁部材Ｅ３１ｂは、縁部材Ｅ３１ｂの上側から縁部材Ｅ３１ａが挿入されるような中空の部材である。縁部材Ｅ３１ｂの上側の端部には、挿入された縁部材Ｅ３１ａを縁部材Ｅ３１ｂに固定するための例えばボルト（不図示）を挿入する孔（不図示）が横方向に貫通している。
【００８４】
縁部材Ｅ３１ａは、縁部材Ｅ３１ｂに挿入した状態で、縁部材Ｅ３１ｂの孔に挿入されたボルトにより縁部材Ｅ３１ｂに固定されるような孔（不図示）が横方向に貫通している。尚、縁部材Ｅ３１ａの孔は、縁部材Ｅ３１ｂに固定された縁部材Ｅ３１ａの上側の端部の高さが所定の高さとなるように例えば複数設けられる。
【００８５】
縁部材Ｅ３１ａは、縁部材Ｅ３１ｂの上側から下側へ向かって挿入され、縁部材Ｅ３１ａ、Ｅ３１ｂに設けられた孔を貫通するようなボルトとナットＮ４により縁部材Ｅ３１ｂに固定される。尚、縁部材Ｅ３１ａは、縁部材Ｅ３１ａの上側の端部の高さが例えば２メートル程度となるように縁部材Ｅ３１ｂに固定される。
【００８６】
縁部材Ｅ３３ａの一方側の端部は、縁部材Ｅ２２ａの上側の端部と例えば溶接される。縁部材Ｅ３３ａの他方側の端部は、縁部材Ｅ３１ａの上側の端部と例えば溶接される。縁部材Ｅ３４ａの一方側の端部は、縁部材Ｅ２２ｂの下側の端部と例えば溶接される。縁部材Ｅ３４ａの他方側の端部は、縁部材Ｅ３１ｂの下側の端部と例えば溶接される。
【００８７】
縁部材Ｅ１３ａ（Ｅ２３ａ、Ｅ３３ａ）の高さ方向の幅は、ブラケット保持具１２（２２、３２）を縁部材Ｅ１３ａ（Ｅ２３ａ、Ｅ３３ａ）に固定するためのボルトＢ１６、Ｂ１７（Ｂ２６、Ｂ２７、Ｂ３６、Ｂ３７）が取り付けられる長孔１１ａ（２１ａ、３１ａ）を設けることができるような幅となっている。尚、ボルトＢ１６、Ｂ１７、Ｂ２６、Ｂ２７は図示されていないが、手前側からは見えない状態となっている。
【００８８】
長孔１１ａ（２１ａ、３１ａ）は、長孔１１ａ（２１ａ、３１ａ）の長手方向が横方向（奥行き方向、横方向）と平行になり、縁部材Ｅ１３ａ（Ｅ２３ａ、Ｅ３３ａ）の手前と奥（一方と他方、手前と奥）の間を貫通して開口される。
【００８９】
縁部材Ｅ１１ｂ、Ｅ１２ｂ、には夫々、作業床４を載置する作業床受け１０ａ１、１０ｂ１が取り付けられる。
【００９０】
作業床受け１０ａ１（１０ｂ１）は、縁部材Ｅ１１ｂ（Ｅ１２ｂ）の一方側（他方側）に取り付けられた状態で、横方向に沿って一方側（他方側）に例えば１０センチメートル程度突出するような金属製の部材である。作業床受け１０ａ１（１０ｂ１）は、作業床受け１０ａ１（１０ｂ１）の一端が縁部材Ｅ１１ｂ（Ｅ１２ｂ）から横方向に沿って一方側（他方側）へ突出するように、作業床受け１０ａ１（１０ｂ１）の他端は縁部材Ｅ１１ｂ（Ｅ１２ｂ）の一方側（他方側）に取り付けられる。尚、作業床受け１０ａ１の他端は、縁部材Ｅ１１ｂの一方側における例えば１メートル程度の高さの位置に溶接される。又、作業床受け１０ｂ１の他端は、縁部材Ｅ１２ｂの他方側における、作業床受け１０ａ１が取り付けられる高さと同じ高さの位置に溶接される。
【００９１】
又、縁部材Ｅ２２ｂ、Ｅ３１ｂにも作業床受け１０ａ１と同様な作業床受け（不図示）が取り付けられる。尚、縁部材Ｅ２２ｂには、作業床受け１１ａ１がとりけられる位置と奥側に対向する位置に取り付けられ、縁部材Ｅ３１ｂには、作業床受け１０ａ１がとりけられる位置と奥側に対向する位置に取り付けられる。
【００９２】
中継装置８２は、縁部材Ｅ１１ｂ、Ｅ１２ｂ、Ｅ２２ｂ、Ｅ３１ｂに夫々固定される縁部材Ｅ１１ａ、Ｅ１２ａ、Ｅ２２ａ、Ｅ３１ａの高さを調整することにより、中継装置８２に保持される絶縁ブッシング１５、２５、３５が地絡しないような高さとなるように、中継装置８２の高さを調整することができる。
【００９３】
又、中継装置８２を収納する場合、縁部材Ｅ１１ａを縁部材Ｅ１１ｂに固定するボルト、縁部材Ｅ１２ａを縁部材Ｅ１２ｂに固定するボルトＢ２、縁部材Ｅ２２ａを縁部材Ｅ２２ｂに固定するボルトＢ３、縁部材Ｅ３１ａを縁部材Ｅ３１ｂに固定するボルトが取り外される。縁部材Ｅ１１ａ、Ｅ１２ａ、Ｅ２２ａ、Ｅ３１ａは夫々、縁部材Ｅ１１ｂ、Ｅ１２ｂ、Ｅ２２ｂ、Ｅ３１ｂに挿入され、フレーム１、２、３の高さが例えば１．３メートル程度に縮小される。よって、中継装置８２は、縁部材Ｅ１１ａ、Ｅ１２ａ、Ｅ２２ａ、Ｅ３１ａを夫々、縁部材Ｅ１１ｂ、Ｅ１２ｂ、Ｅ２２ｂ、Ｅ３１ｂに挿入することによりコンパクトに収納することができる。
【００９４】
[第４実施形態]
＝＝＝中継装置の詳細＝＝＝
図５は、本実施形態に係る中継装置を示す斜視図である。尚、図１に示された構成と同じ構成については同じ番号を付すのみで、その説明は省略する。
【００９５】
中継装置８３は、フレーム１ｃ、２ｃブラケット１３、２３、３３及び作業床４ｃを備えて構成される。  
フレーム１ｃ、２ｃは、略矩形形状を呈した金属製のフレームである。  
フレーム１ｃは、高さ方向（Ｙ軸方向）に沿って伸びる金属製の縁部材Ｅ１１ｃ、Ｅ１２ｃ及び横方向（Ｘ軸方向）に沿って伸びる金属製の縁部材Ｅ１３ｃ、Ｅ１４ｃを備えて構成される。  
縁部材Ｅ１１ｃ、Ｅ１２ｃの高さ方向の長さは例えば２メートル程度であり、縁部材Ｅ１３ｃ、Ｅ１４ｃの横方向の長さは例えば１．５メートル程度である。
【００９６】
縁部材Ｅ１３ｃの一方側（＋Ｘ側）の端部は、縁部材Ｅ１２ｃの上側（＋Ｙ側）の端部と例えば溶接される。縁部材Ｅ１４ｃの一方側の端部は、縁部材Ｅ１２ｃの下側（−Ｙ側）の端部と例えば溶接される。縁部材Ｅ１３ｃの他方側（−Ｘ側）の端部は、縁部材Ｅ１１ｃの上側の端部と例えば溶接される。縁部材Ｅ１４ｃの他方側の端部は、縁部材Ｅ１１ｃの下側の端部と例えば溶接される。
【００９７】
フレーム２ｃは、高さ方向に沿って伸びる金属製の縁部材Ｅ２１ｃ、Ｅ２２ｃ及び横方向において一方側から手前側（−Ｚ側）へ向かって例えば６０°傾いた方向（以下、斜め方向という）沿って伸びる金属製の縁部材Ｅ２３ｃ、Ｅ２４ｃを備えて構成される。尚、縁部材Ｅ２２ｃは図示されていないが、手前側からは見えない状態となっている。
【００９８】
縁部材Ｅ２１ｃ、Ｅ２２ｃの高さ方向の長さは例えば２メートル程度であり、縁部材Ｅ２３ｃ、Ｅ２４ｃの斜め方向の長さは例えば１．５メートル程度である。
【００９９】
縁部材Ｅ２３ｃの斜め方向における一方側の端部は、縁部材Ｅ２２ｃの上側の端部と例えば溶接される。縁部材Ｅ２４ｃの斜め方向における一方側の端部は、縁部材Ｅ２２ｃの下側の端部と例えば溶接される。縁部材Ｅ２３ｃの斜め方向における他方側の端部は、縁部材Ｅ２１ｃの上側の端部と例えば溶接される。縁部材Ｅ２４ｃの斜め方向における他方側の端部は、縁部材Ｅ２１ｃの下側の端部と例えば溶接される。
【０１００】
フレーム１ｃは、フレーム１ｃの外側の面を手前側へ向けられて立設されている。
【０１０１】
フレーム２ｃは、上側から下側に向かって見てフレーム１ｃと例えば６０°の角度を持って一体となるように、フレーム２ｃの外側の面を横方向において一方側から奥側（＋Ｚ側）へ向かって例えば３０°傾いた方向へ向けられて立設される。
【０１０２】
フレーム１ｃ、２ｃは、上側から下側に向かって見てフレーム１ｃ、２ｃが例えば６０°の角度を持って一体のフレームを形成するように、縁部材Ｅ１２と縁部材Ｅ２２は例えば溶接される。
【０１０３】
縁部材Ｅ１１ｃには、作業床４ｃを載置する作業床受け１０ａ２が取り付けられる。  
作業床受け１０ａ２は、縁部材Ｅ１１ｃの一方側に取り付けられた状態で、横方向に沿って一方側に例えば１０センチメートル程度突出するような金属製の部材である。作業床受け１０ａ２は、作業床受け１０ａ２の一端が縁部材Ｅ１１ｃから横方向に沿って一方側へ突出するように、作業床受け１０ａ２の他端は縁部材Ｅ１１ｃの一方側に取り付けられる。尚、作業床受け１０ａ２の他端は、縁部材Ｅ１１ｃの一方側における例えば１メートル程度の高さの位置に溶接される。
【０１０４】
又、溶接された縁部材Ｅ１２ｃ、Ｅ２２ｃ及び縁部材Ｅ２１ｃにも作業床受け１０ａ２と同様な作業床受け（不図示）が取り付けられる。
【０１０５】
溶接された縁部材Ｅ１２ｃ、Ｅ２２ｃには、作業床受けの一端が縁部材Ｅ１２ｃ、Ｅ２２ｃからフレーム１ｃ、２ｃで囲まれる部分の中心へ向かって突出するように、作業床受けの他端が縁部材Ｅ１２ｃ、Ｅ２２ｃに溶接される。尚、作業床受け他端は、溶接された縁部材Ｅ１２ｃ、Ｅ２２ｃにおける例えば１メートル程度の高さの位置に溶接される。
【０１０６】
縁部材Ｅ２１ｃには、作業床受け１０ａ２と同様な作業床受け（不図示）が取り付けられる。作業床受けは、作業床受けの一端が縁部材Ｅ２１ｃから斜め方向に沿って斜め方向における一方側へ突出するように、作業床受けの他端は縁部材Ｅ２１ｃの斜め方向における一方側に取り付けられる。尚、作業床受け他端は、縁部材Ｅ２１ｃにおける例えば１メートル程度の高さの位置に溶接される。
【０１０７】
作業床４ｃは、一体となったフレーム１、２の内側にＸＺ平面と平行となるように配置される３角形の例えば金属板である。  
作業床４ｃは、作業床受けにより載置される。
【０１０８】
ブラケット保持具１２ｃ（２２ｃ、３２ｃ）は、ブラケット保持具１２ｃ（２２ｃ、３２ｃ）の一方の面にブラケット１３（２３、３３）の外周面が嵌まるような形状を呈する金属製の保持具である。
【０１０９】
ブラケット１３は、ブラケット１３の例えば部材１３１側の外周面がブラケット保持具１２ｃの一方の面に嵌められた状態で、例えば接着剤でブラケット保持具１２ｃに固定される。ブラケット１３と同様に、ブラケット２３、３３もブラケット保持具２２ｃ、３２ｃに固定される。
【０１１０】
ブラケット保持具１２ｃ、２２ｃ、３２ｃは、ブラケット１３、２３、３３に保持される絶縁ブッシング１５、２５、３５が、お互いに短絡しないような距離を保てるように、フレーム１ｃ、２ｃに溶接される。ブラケット保持具１２ｃは、ブラケット１３に保持された絶縁ブッシング１５の一端が上側を向くように、例えば縁部材Ｅ１３ｃの他方側の端部に溶接される。ブラケット保持具２２ｃは、ブラケット２３に保持された絶縁ブッシング２５の一端が上側を向くように、例えば縁部材Ｅ１３ｃと縁部材Ｅ２３ｃが溶接される部分の一方側の端部に溶接される。ブラケット保持具３２ｃは、ブラケット３３に保持された絶縁ブッシング３５の一端が上側を向くように、例えば縁部材Ｅ２３ｃにおける縁部材Ｅ２３ｃと縁部材Ｅ１３ｃが溶接される端部とは反対側の端部に溶接される。
【０１１１】
尚、ブラケット保持具１２ｃ、２２ｃ、３２ｃは、ブラケット１３、２３、３３に保持される絶縁ブッシング１５、２５、３５が、お互いに短絡しないような距離を確保できれば、フレーム１ｃ、２ｃの如何なる位置に取り付けてもよい。
【０１１２】
前述したように、フレーム１ｃ、２ｃは上側から下側へ向かって見て例えば６０°の角度を持って一体となるように結合される。ブラケット１３、２３、３３は、ブラケット１３、２３、３３に保持される絶縁ブッシング１５、２５、３５が、お互いに短絡しないような距離を保てるように、フレーム１ｃ、２ｃに取り付けられる。ブラケット１３、２３、３３夫々に絶縁ブッシング１５、２５、３５を取り付ける作業を行うための作業床４ｃは、フレーム１ｃ、２ｃに囲まれるように、フレーム１ｃ、２ｃの作業床受けに載置される。よって、作業用脚立を用いることなく絶縁ブッシングをブラケットに保持させる作業を行うことができる。
【０１１３】
又、フレーム１、２、３は一体となって、上側から下側へ向かって見て略コ字状となるように結合される。ブラケット１３、２３、３３は、フレーム１、２、３の上部に取り付けられる。そして、ブラケットの取り付け位置は、作業員により調整可能される。ブラケット１３、２３、３３夫々に絶縁ブッシング１５、２５、３５を取り付ける作業を行うための作業床４は、フレーム１、２、３に囲まれるように、フレーム１、２、３の作業床受け１０ａ、１０ｂ、３０ａ、３０ｂに載置される。よって、作業用脚立を用いることなく絶縁ブッシングをブラケットに保持させる作業を行うことができる。又、電力ケーブル１６、２６、３６からブラケット１３、２３、３３を介してフレーム１、２、３が張力を受ける。ブラケット取り付け位置は作業員により調整可能であるので、ブラケット１３、２３、３３を当該張力を弱めるように、ブラケット取り付け位置を調整できる。
【０１１４】
又、フレーム１、２、３は一体となって、上側から下側へ向かって見て略コ字状となるように例えば蝶番Ｔ１、Ｔ２、Ｔ３、Ｔ４により結合される。フレーム１、２、３は蝶番Ｔ１、Ｔ２、Ｔ３、Ｔ４を中心に回動される。よって、中継装置８１を収納する場合、フレーム１（３）は、フレーム２に接触するように蝶番Ｔ１、Ｔ２（Ｔ３、Ｔ４）を中心に回動されるので、コンパクトに収納される中継装置を提供することができる。
【０１１５】
又、フレーム１ａ、２ａ、３ａは一体となって、上側から下側へ向かって見て略コ字状となるように結合される。フレーム１ａ、２ａ、３ａは、高さ方向に伸縮可能とされる。ブラケット１３、２３、３３は、フレーム１ａ、２ａ、３ａの上部に取り付けられる。ブラケット１３、２３、３３夫々に絶縁ブッシング１５、２５、３５を取り付ける作業を行うための作業床４は、フレーム１ａ、２ａ、３ａに囲まれるように、フレーム１ａ、２ａ、３ａの作業床受けに載置される。よって、  中継装置８２は、中継装置８２に保持される絶縁ブッシング１５、２５、３５が地絡しないような高さとなるように、中継装置８２の高さを調整することができる。また、中継装置８２を収納する場合、フレーム１ａ、２ａ、３ａは高さ方向に縮小されるので、コンパクトに収納される中継装置を提供することができる。
【０１１６】
尚、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【０１１７】
第１実施形態乃至第４実施形態におけるフレーム１、２、３、１ａ、２ａ、３ａ、１ｃ、２ｃは夫々、４本の縁部材で囲まれる略矩形形状である場合について説明したが、これに限定されるものではない。例えば、４本の縁部材で囲まれる略矩形形状フレームに換えて略矩形形状を呈する板状の部材を用いてもよい。４本の縁部材で囲まれる略矩形形状のフレームに換えて略矩形形状を呈する板状の部材を用いる場合、作業床を載置するための作業床受けは、例えばフレームに取り付けられた作業床受けに対応する位置から板状の部材の互いに向かい合う側に向かって突出するように、板状の部材の内側の面に溶接すればよい。
【符号の説明】
【０１１８】
１、２、３、１ａ、２ａ、３ａ、１ｃ、２ｃ  フレーム
４、４ｃ  作業床
５  遮断器
６  移動用変圧器
７  電力機器
８、８ａ、８１、８２、８３  中継装置
１３、２３、３３  ブラケット
１５、１５ａ、２５、２５ａ、３５、３５ａ  絶縁ブッシング
１６、２６、３６、Ｃ１、Ｃ２、Ｃ３、Ｃ１ａ、Ｃ２ａ、Ｃ３ａ  電力ケーブル
【図１】
0005579517.tif 000002
【図２】
0005579517.tif 000003
【図３】
0005579517.tif 000004
【図４】
0005579517.tif 000005
【図５】
0005579517.tif 000006